(57)【要約】【課題】皺が寄ったりすることなく、容易に貼り付けることができ、また貼ったり剥がしたりして繰り返して使用するにあたって、反りが発生したり破損したりすることがないグラフィックシートを提供する。【解決手段】加硫ゴムシート１の表面側に印刷シート２を積層すると共に、加硫ゴムシート１の背面側に粘着層３を設けて、グラフィックシートＡを形成する。【選択図】図１
2010224151.tif 000002
【特許請求の範囲】
【請求項１】
加硫ゴムシートの表面側に印刷シートを積層すると共に、加硫ゴムシートの背面側に粘着層を設けて成ることを特徴とするグラフィックシート。
【発明の詳細な説明】
【技術分野】
【０００１】
本発明は、壁や床等に脱着自在に貼って使用されるグラフィックシートに関するものである。
【背景技術】
【０００２】
広告などを目的として、紙や樹脂シートなどの表面に文字、図、写真等を印刷したグラフィックシートを壁面に貼ることが行なわれている。このような紙や樹脂シートなどで形成されるグラフィックシートは、一般に、画鋲や糊（接着剤）を用いて壁面に固定されているが、画鋲を用いる場合、壁面に穴があくという問題があり、糊を用いる場合、壁面に糊が残って壁面が汚されるという問題があり、さらに繰り返して使用することができないという問題もある。
【０００３】
そこで例えば特許文献１には、紙や樹脂シートなどの壁紙の裏面にマイクロポーラスな連続気泡構造を有する粘着シートを設けた簡易着脱壁紙が提案されている。このものでは粘着シートによって壁面に貼り付けるため、壁面に穴があいたり、糊で壁面が汚されたりすることがなくなり、また粘着シートで貼っているため、簡単に剥がしてまた貼り付けることができ、繰り返して使用することも可能になるものである。
【先行技術文献】
【特許文献】
【０００４】
【特許文献１】実用新案登録第３０１８８０９号公報
【発明の概要】
【発明が解決しようとする課題】
【０００５】
しかし上記の特許文献１のものにあって、簡易着脱壁紙には腰がないため、皺が寄ったりして壁面に貼り付ける作業が困難になり、また貼ったり剥がしたりすることを繰り返すと、反りが発生したり破損したりするという問題を有するものであった。
【０００６】
本発明は上記の点に鑑みてなされたものであり、皺が寄ったりすることなく、容易に貼り付けることができ、また貼ったり剥がしたりして繰り返して使用するにあたって、反りが発生したり破損したりすることがないグラフィックシートを提供することを目的とするものである。
【課題を解決するための手段】
【０００７】
本発明に係るグラフィックシートは、加硫ゴムシート１の表面側に印刷シート２を積層すると共に、加硫ゴムシート１の背面側に粘着層３を設けて成ることを特徴とするものである。
【０００８】
このように、背面側に粘着層３を有することによって、簡単に剥がしてまた貼り付けることができ、繰り返して使用することも可能になるものである。そして加硫ゴムシート１によって厚みを確保できると共に腰が強くなり、皺が寄ったりするようなことがなくなって、貼り付けの作業性が向上し、また貼ったり剥がしたりして繰り返して使用するにあたって、反りや破損が発生することを防ぐことができるものである。
【発明の効果】
【０００９】
本発明によれば、背面側に粘着層３を有するので、簡単に剥がしてまた貼り付けることができ、繰り返して使用することも可能になるものである。そして加硫ゴムシート１によって厚みを確保できると共に腰が強くなるので、皺が寄ったりするようなことがなくなって、貼り付けの作業性が向上し、また貼ったり剥がしたりして繰り返して使用するにあたって、反りや破損が発生することを防ぐことができるものである。
【図面の簡単な説明】
【００１０】
【図１】本発明の実施の形態の一例を示す断面図である。
【発明を実施するための形態】
【００１１】
以下、本発明の実施の形態を説明する。
【００１２】
加硫ゴムシート１は、ゴム組成物をシート状に成形して加硫することによって作製されるものである。ゴムとしては、特に限定されるものではないが、エチレン・プロピレン・ジエン・モノマーゴム（ＥＰＤＭ）やブチルゴム（ＩＩＲ）などを用いることができ、ＥＰＤＭとＩＩＲのブレンド物を主成分とするものであってもよい。加硫ゴムシート１の厚みは、特に限定されるものではないが、０．５〜３．５ｍｍ程度が好ましい。加硫ゴムシート１の厚みが薄すぎると、グラフィックシートＡの腰を強くする効果が不十分になり、また厚みが厚すぎると、グラフィックシートＡの重量が重くなって、壁面に貼ったりする際の作業性が悪くなる。
【００１３】
印刷シート２は、ポリ塩化ビニル、ポリプロピレン、ポリエチレン、ポリエステル等の合成樹脂のシートやフィルム、合成紙など、任意のシート材で作製したものを用いることができるものである。この印刷シート２の表面には、宣伝広告の情報など、文字や図、写真等が印刷してある。印刷シート２の厚みは、特に制限されるものではないが、１０〜３００μｍ程度が好ましい。印刷シート２の厚みが１０μｍ未満であると、厚みが不足して破損し易くなり、逆に厚みが３００μｍを超えると、加硫ゴムシート１との間の熱伸縮の差が影響してグラフィックシートＡに反り変形が発生するおそれがある。
【００１４】
この印刷シート２は加硫ゴムシート１の表側の表面に接着して積層してある。この接着は、加硫ゴムシート１の片面に塗布した接着剤と、印刷シート２の片面に塗布した接着剤とを接着することによって行なうことができるものである。加硫ゴムシート１に塗布する接着剤としては、クロロプレン系やアクリル系のものを用いることができ、溶剤系と水系のいずれでもよいが、溶剤系であると残留溶剤の臭いや健康上の問題があるので、水系のほうが好ましい。また印刷シート２に塗布する接着剤としては、アクリル系のものを用いることができる。
【００１５】
また、加硫ゴムシート１の背面側には粘着剤を塗布して粘着層３が形成してある。粘着層３を形成する粘着剤としては、特に限定されるものではないが、例えばＩＩＲを主成分とする未加硫ゴム系の粘着剤を用いることができる。この粘着層３の厚みは特に限定されるものではないが、０．１〜１．０ｍｍの範囲が好ましく、より好ましくは０．３〜０．５ｍｍである。粘着層３の厚みがこの範囲を下回って薄いと、グラフィックシートＡを長期に亘って貼り付けて固定する粘着力が十分に得られないおそれがあり、また貼ったり剥がしたりする繰り返し使用の回数も制限されることになる。粘着層の厚みがこの範囲を超えて厚いと、粘着層３の粘着剤自身は柔らかいので、グラフィックシートＡを剥がす際に、一部の粘着剤が剥がした面に残るおそれがある。この粘着層３の表面には離型シートなどを貼って保護するようにしてもよい。
【００１６】
上記のようにして図１のようなグラフィックシートＡを得ることができるものである。そしてこのグラフィックシートＡは、背面側の粘着層３によって壁面などに貼って使用することができるものである。貼る箇所は、壁面に限られるものではなく、床面等であってもよい。グラフィックシートＡを壁面や床面等に貼ることによって、表面側の印刷シート２によって、宣伝広告等を行なうことができるものである。ここで、このようにグラフィックシートＡは粘着層３の粘着力で貼っているので、不要になれば容易に剥がすことができ、グラフィックシートＡを剥がした跡に穴や汚れ等が残ることもないものである。またグラフィックシートＡを一旦剥がしても、粘着層３で再度貼り付けを行なうことができるものであり、繰り返して使用することができるものである。粘着層３に埃や糸屑等が付着した場合、水や中性洗剤を含んだ水溶液にて洗浄することも可能であり、洗浄後乾燥すれば再度貼り付けを行なうことができるものである。
【００１７】
また、グラフィックシートＡは加硫ゴムシート１で厚みが確保されると共に強度が補強されているので、腰が強くなっている。このため、グラフィックシートＡに皺が寄ったりすることがなくなり、グラフィックシートＡを貼り付ける際の作業性が向上するものであり、またグラフィックシートＡを貼ったり剥がしたりして繰り返して使用するにあたって、グラフィックシートＡに反りや破損が発生することを防ぐことができるものである。さらに加硫ゴムシート１によってグラフィックシートＡにクッション性を持たせることができるものであり、質感を向上することもできるものである。
【符号の説明】
【００１８】
１  加硫ゴムシート
２  印刷シート
３  粘着層
Ａ  グラフィックシート
【図１】
2010224151.tif 000003